(57)【要約】【課題】従来の外部から或いは冷暖房や除湿された空気の吹出口となる開口部は、室内側から可視することができ、建築の意匠上或いは他の仕上部材との調和の観点から好ましいものではなかった。本発明は、吹出口となる開口部を室内からは通常の状態では可視できないようにすることを目的とするものである。【解決手段】上記課題を解決するため、本発明は、本体の表面側側壁に本体と平行して溝を延設し、該溝内の奥側上端部或いはそれに近接する上方部の位置に吹出口を設け、該吹出口は本体の裏面側から連通する貫通孔として形成した通気巾木を特徴とする。【選択図】図１
2008008013.tif 000002
【特許請求の範囲】
【請求項１】
本体の表面側側壁に本体と平行して溝を延設し、該溝内の奥側上端部或いはそれに近接する上方部の位置に吹出口を設け、該吹出口は本体の裏面側から連通する貫通孔として形成してなることを特徴とする通気巾木。
【請求項２】
貫通孔は、溝に平行して横方向に所定長連続する溝型貫通孔としたことを特徴とする請求項１に記載の通気巾木。
【請求項３】
貫通孔は、溝に沿って断面円形、三角形、四角形或いはそれらの変形タイプの楕円形、多角形等のいずれかの形状からなる単独の孔とし、それらを適数個並設した穴型貫通孔としたことを特徴とする請求項１に記載の通気巾木。
【発明の詳細な説明】
【技術分野】
【０００１】
本発明は、自然換気或いは強制換気等により室内に空気を吐出する吹出口を巾木に設けた通気巾木に関するものである。
【背景技術】
【０００２】
従来より、外部の新鮮な空気或いは建物内において暖められた空気又は冷やされた空気を所定の空間に吹き出すために吹出口を有する吐出手段が知られているが、その吹出口として壁や天井等の様々な部位が知られている。それらの内、巾木を吹出口としているものも見受けられる。
【０００３】
図４（ａ）は、外部或いは小屋裏の空気を壁内の連通空間Ａを通じて巾木Ｂの位置より所定の室内Ｃに吹き出しているが、その吹出口の開口部は室内Ｃから可視できる位置に構成されている。
【０００４】
また、図４（ｂ）は、小屋裏の空気をファンＤの強制手段を利用して壁内の空間Ｅを通過させて巾木Ｆの位置より所定の室内Ｇへ吹き出している。この吹出口もその開口部は室内Ｇから可視できる位置に構成されている。
【特許文献１】特開２００４−１８３９６８号公報
【発明の開示】
【発明が解決しようとする課題】
【０００５】
図５は、上記特許文献に係る冷暖房換気システムの断面図で、床下空間Ｈに送風された空気を巾木Ｉに形成した貫通孔Ｊを通じてその先端の吹出口Ｋより所定の室内Ｌへ吐出している。しかし上記特許文献の巾木Ｉにおける吹出口Ｋは、シャッターの実施例を含め全て室内Ｌ側からその開口部が可視できるものであり、建築の意匠の観点或いは他の仕上部材との調和の観点から好ましいものとは言えなかった。
【０００６】
本発明は上記欠点を解決したもので、外部からの新鮮な空気を室内へ吐出させる手段或いは冷暖房換気システムにおける冷暖房又は除湿空気等を室内へ吐出させる手段として巾木を利用すると同時に、該巾木における吹出口となる開口部を室内からは通常の状態では可視できない部位に設けたことを特徴とする通気巾木に関するものである。
【課題を解決するための手段】
【０００７】
本発明は上記従来の欠点を解決する具体策として、本体の表面側側壁に本体と平行して溝を延設し、該溝内の奥側上端部或いはそれに近接する上方部の位置に吹出口を設け、該吹出口は本体の裏面側から連通する貫通孔として形成してなる通気巾木を特徴とする。
【０００８】
また、上記貫通孔は、溝に平行して横方向に所定長連続する溝型貫通孔とした通気巾木を特徴とする。
【０００９】
更に、上記貫通孔は、溝に沿って断面円形、三角形、四角形或いはそれらの変形タイプの楕円形、多角形等のいずれかの形状からなる単独の孔とし、それらを適数個並設した穴型貫通孔とした通気巾木を特徴とする。
【発明の効果】
【００１０】
本発明の通気巾木は、室内の下端部に位置するので、該下端部より新鮮な空気或いは冷暖房や除湿された空気を吹き出すことができ、室内全体に行き渡る空気の流れを形成することができる。同時に、室内側からは全く可視することができない位置に上記吹出口の開口部を構成しているので、室内の意匠や仕上げ手段に該吹出口の存在を意識することなく内装施工することが可能となった。
【００１１】
また、巾木に形成した溝の位置を利用して吹出口を設けているので、該吹出口のために特別な部位や枠材等を設ける必要がなく、裏面側から連通する貫通孔を形成するのみで通気手段を有する巾木を形成することが可能となった。
【発明を実施するための最良の形態】
【００１２】
以下、本発明の実施例を図面に基づいて説明する。
【実施例１】
【００１３】
図１は、本発明の通気巾木の断面図を示している。通気巾木１は、その裏面側上隅部に構成した壁板等の仕上材を押圧取着するための板じゃくり、或いは塗り仕上げの場合のちりじゃくり等のしゃくり部２と表面側上隅部に構成した突出部３、巾木本体の表面側側壁に本体と平行となるように設けた溝４及び貫通孔５とより構成している。
【００１４】
通気巾木１の底部側は、図面の通りの平坦部として床仕上材に突き付け接合としたり或いは床板や塗り床仕上等に対応するために小穴じゃくり、さねじゃくり等の凹凸を適宜形成する等、接する或いは連結することになる相手方の部材により異なった態様となる。
【００１５】
また、図１では表面側をほぼ垂直状の側壁としているが、下方側を薄厚となるようにテーパー状の側壁に形成してもよい。
【００１６】
上記貫通孔５は、通気巾木１の上記溝４の奥側上端部或いはそれに近接する上方部の位置に吹出口６を設け、該吹出口６は本体の裏面側から該溝４の奥側上端部或いはそれに近接する上方部の位置の吹出口６と連通するように貫通させ、当該貫通孔５を通気通路とし、その先端部となる溝４側を吹出口６としている。
【００１７】
上記貫通孔５は、図２の正面図に示すように、溝４に平行して適宜長さに連続する横方向に延設した溝型貫通孔７とすることができるし、また、図３に示すように、断面円形、三角形、四角形或いはそれらの変形タイプとなる楕円形や多角形等様々な適宜形状からなる単独の孔を適数個並設した穴型貫通孔８とすることも可能である。
【００１８】
上記構成よりなる通気巾木１は、従来例として図４、５で示したように、外部からの新鮮な空気を室内へ吐出させる吹出口として、或いは壁内空間や床内空間からの冷暖房又は除湿空気等を室内へ吐出させる吹出口として使用することができる。
【実施例２】
【００１９】
外部からの新鮮な空気や建物内の他の場所からの空気を所定の室内に吐出するとき、それら空気とともに塵芥等の浮遊物が吹き出されてくることがある。上記の場合を考慮し、溝内の奥側上端部或いはそれに近接する上方部の位置の吹出口に比較的目の細かな１００メッシュ〜５００メッシュ程度の網を取着する。該網は塵芥等による目詰まりの掃除がし易いように取着自在としておく。取着手段としては掛け止めや吊り手段或いは吹出口への嵌合等様々な形態が考えられる。上記手段により空気とともに入り込んでくる塵芥等の室内への進入を防止することができる。
以上巾木について説明したが、長押や回り縁にも同様に吹出口、貫通孔を設けることにより、通気長押、通気回り縁として利用することができる。
【図面の簡単な説明】
【００２０】
【図１】本発明の通気巾木の断面図。
【図２】本発明の通気巾木の一部を示す正面図。
【図３】本発明の通気巾木の一部を示す他の実施例の正面図。
【図４】（ａ）従来の吹出口を含めた換気手段の断面図、（ｂ）従来の吹出口を含めた強制換気手段の断面図。
【図５】従来の巾木を吹出口とした実施例の断面図。
【符号の説明】
【００２１】
１      通気巾木
２      しゃくり部
３      突出部
４      溝
５      貫通孔
６      吹出口
７      溝型貫通孔
８      穴型貫通孔
【図１】
2008008013.tif 000003
【図２】
2008008013.tif 000004
【図３】
2008008013.tif 000005
【図４】
2008008013.tif 000006
【図５】
2008008013.tif 000007